(57)【要約】      （修正有）【課題】従来技術の諸欠点、諸問題点を殆ど除去して、不燃であって、ホルマリンの拡散量が微量であり、環境保全を重視するための進歩性ある材料を使用した新規な天板を開発し、環境浄化社会に提供する。【解決手段】天板の下層板に嵩比重の軽い火山性ガラス質複層板を使用し、可燃物の中層板を用いず、上層板と下層板の接着面に、必要に応じて粗面を形成し、無機質を主とする接着剤を使用して製作することにより、軽くて充分に剛性を有する天板の製作に成功し、軽量で剛性、耐薬品性、耐火性に優れ、かつリサイクルの場合に、解体分別の必要なく、公害を起こさない天板を開発する。【選択図】図１
2005053181.tif 000002
【特許請求の範囲】
【請求項１】
実験台，手術台を含む台の天板であって、化学的耐薬品性，耐熱性かつ耐水性かつ耐水性を有する無機質不燃板を上層板とし、無機質板を下層板とし、前記上層板と下層板を主として無機質及び／又は有機質の接着剤により貼り合わせる事で所要の剛性を有し、エッジ材として不燃もしくは難燃材料を用い、複合板として一体化し、かつまたリサイクルを容易にしたことを特徴とする無機質不燃実験台天板。
【請求項２】
前記無機質の下層板が火山性ガラス質複層板ないしは無機質軽量コンクリ−ト板であって、単層板又は複層板で構成されたものである請求項１又は２に記載の無機質不燃実験台天板。
【請求項３】
前記エッジ材は、環境浄化に適応する、難燃のいわゆるエコ材であり、石粉を含む古紙材、再生ポリプロピレン、もしくは、不燃材である、金属又はロックウ−ル布帯及び／又はガラス繊維布帯により構成されたエッジ材である請求項１又は２に記載の無機質不燃実験台天板。
【発明の詳細な説明】
【技術分野】
【０００１】
本発明は、実験台、手術台、調理台などの上部に用いる天板の改良技術である。即ち、従来の天板は上層板ないし下層板が有機材料で構成され、可燃物であり、またシックハウス症候群の原因といわれるＶＯＣ（揮発性有機化合物）を含有している為、環境上有毒であり、或いはリサイクルの際、分別のため、上層板と下層板を分離しなければならない欠点を有していた。本発明はそれを殆ど改善した、進歩的現代エコ製品の天板に関するものである。
【背景技術】
【０００２】
「天板」とは、建築工学では「こういた」ともいい、机やカウンタ−などの上面の板をいっている。一般には茅葺き桧皮葺きなどの屋根の大棟の一番上の部分を保護するため、最上部を覆つている水平の厚板のことである（建築大辞典）。この天板については、本願では、狭義の天板をいい、実験台、机、カウンタ−、手術台、調理台などの上面の板ないしは複合板のことをいう。また、従来の天板の構成は上層板と軽量化のための中層板と、剛性を保つための下層板を貼り合わせて用いられてきた。上層板には錆に強いステンレス鋼板、メラミン樹脂板、セラミック、フェノ−ル系樹脂板、ケイカル板などが使用されてきた。また、下地材には、合板、木芯材、ペ−パ−ハニカム、ＭＤＦ板（main distribution frame；密度中間繊維板）などが用いられてきた。図５は従来技術における天板を示すものである。この天板は上層板１ｂとしてセラミック板を用い、下地材３ｂとして合板を用い、その中間に木芯材およびペ−パ−ハニカム５を介在させたものを示す。かつまた、該天板を水平にした場合の周囲をかこむエッジ（図略）の材料としては、ヴァ−ジン原料ポリプロピレン、塩化ビニ−ルなどが用いられてきた。
【発明の開示】
【発明が解決しようとする課題】
【０００３】
しかしながら、前記従来技術では、次記の問題点、欠点が存在する。即ち、前記最上板の板が、メラミン系樹脂板、フェノ−ル系樹脂板など有機系材料で、下地材に合板、木芯材、ペ−パ−ハニカム、ＭＤＦ板（main distribution frame；密度中間繊維板）を使用した複合パネルであると、可燃物を使用しているため火災の際類焼することとなる。またまたシックハウス症候群の原因といわれるＶＯＣ（Volatail Organic Compound）揮発性有機化合物（ホルムアルデヒド、木材保存剤など）は材料の性質上、含有量を減らすことはできても今後もゼロにはならないと考えられる。なぜなら虫食いなど害虫の発生が予想されるからである。かつまた今後ますます求められる環境保全を考えると、リサイクル原料とする、また安定処分するためには材質ごとに分別する必要がある。これは実質上接着された複合パネルであるため困難であり、労力を要する。以上のように、従来用いられたこの種の天板の構成材料は、種々の角度から見て、最近必要とされている所謂エコ材料とはいい難い諸欠点、問題点を有している。
【０００４】
本発明は、これら前記の従来技術の諸欠点、諸問題点を殆ど除去して、不燃であって、ホルマリンの拡散量が微量であり、環境保全を重視するための進歩性ある材料を使用した新規な天板を開発し、環境浄化社会に提供することを課題とするものである。
【課題を解決するための手段】
【０００５】
本発明は前記の各課題を解決するため次の諸手段を構成する。その１番目の特徴は、実験台、手術台を含む台の天板であって、化学的耐薬品性、耐熱性、かつ耐水性、かつ耐油性を有する無機質不燃板を上層板とし、無機質板を下層板とし、前記上層板と下層板を主として無機質及び／又は有機質の接着剤により貼り合わせる事で所要の剛性を有し、エツジ材として不燃もしくは難燃材料を用い、複合板として一体化し、かつまたリサイクルを容易にした無機質不燃実験台天板であることである。
【０００６】
また、本発明の手段構成の２番目の特徴は、前記無機質の下層板が火山性ガラス質複層板ないしは必要に応じ気泡入りの無機質軽量コンクリ−ト板であって、単層板又は複層板で構成されたものである請求項１に記載の無機質不燃実験台天板であることである。
【０００７】
更に、本発明の手段構成の３番目の特徴は、前記エッジ材は、環境浄化に適応する難燃の所謂エコ材であり、石粉を含む古紙材、再生ポリプロピレン、もしくは、不燃材である金属又はガラス繊維布帯などにより構成されたエッジ材である請求項１又は２に記載の無機質不燃実験台天板であることである。
【０００８】
次に、本発明の手段構成を具体的に説明する。本発明の天板は、最上板には無機質セラミック板を用い、上表面には釉薬をかけ、平滑にして、耐薬品性、耐火性の薄板陶磁器板として使用する。その裏面は、通常はそのままで、必要の場合には粗面として構成し、接着剤が有効につきやすくし、接着強度を大きくする。この場合の粗面は、最上板の裏面と望ましくは下層板の上面、即ち、両合わせ面に施す。例えば、加工面に細かい溝を形成し中間に接着剤を流し込んで硬化させる等の構成を用いる。この構成によって、接着剤に無機質物の使用割合を上げることも可能となり、不燃化とエコ適応化に向けて限りなく進歩することも出来るようになる。  更に、具体的不燃化の手段としては、多孔性ないしは、中空粒子の多い火山性粒状材料から造られた、ガラス質不燃複層板、ないしは、気泡入りの無機質コンクリ−ト板を使用する。これらの諸手段によって、全体の不燃化と大きな曲げ強度等剛性の保持が達成されるものである。接着剤には無機質としては、セメント系では、アルミナセメント、リン酸セメントなどをペ−ストとして用いる。また、有機系接着剤使用でも全体の重量からすれば僅少であるから、全体として、不燃性とすることができる。更にまた、本発明天板は全体として、上層板はセラミックス、下地板は火山性ガラス質複層板もしくは軽量コンクリ−ト板であり、無機物であるから、リサイクルの場合にはクラッシャ−で破砕し、５ｍｍ以上と以下に分級すれば、コンクリ−トの粗細骨材などとして、リサイクル材料となる。
【発明の効果】
【０００９】
１）従来技術の天板は可燃の部分が多いものであるのに対し本発明によるものは、不燃性を有し、安全性が高い。
２）従来技術品は有機物の層があるため、ホルムアルデヒドなどの拡散量が多いのに対し、本発明技術によるものは、ホルムアルデヒドは殆ど拡散しないから、この面でも環境衛生上安全度が高い。
３）従来技術品は、有機物と無機物が混合して構成されているので廃棄物になった場合そのままで処理すると公害の発生につながるので、手作業で、分別しなければならず困難であり、処理コストが高い。これに対し本発明技術によるものは無機物同士のため、例えば、そのまま粉砕して埋立処分をしても公害を発生しないので、現今の環境保全基準に適合することで進歩的技術レベルの製品となる大きな効果を有する。
【発明を実施するための最良の形態】
【００１０】
本発明技術による天板は、実施のための最良の形態が、用途により多少異なるが、平均的最良の形態は、概ね次の通りである。先ず上層板は、上面は平滑で焼成後の厚さ約４〜６ｍｍの大形薄板のセラミックス板とする。セラミックスであるから、不燃である。下地材は、厚さが５〜２０ｍｍで火山性ガラス質複層板であるから、嵩比重が０．８〜１．０程度で軽量である。更にまた、天板全体の水平周端を囲んで用いるエッジ材料としては、金属又はガラス繊維布帯を用いることで完全不燃化をはかることができる。
以上のように、最良の形態は殆どすべてに不燃物の構成を用いれば、例え、火炎を近づけても燃える可能性はない。従って、本発明のこの最良の実施の形態によれば、殆ど所謂環境基準を満たすものである。また、この材料の天板ならば、今後更に厳しくなると思われる環境基準にも適合することが可能な進歩的形態である。
【実施例１】
【００１１】
以下、本発明の無機質不燃実験台天板の実施の形態を図面により説明する。図１及び図２に示す無機質不燃実験台天板１００は、大別して上層板１と下層板３と、この両者を接着接合するための接着剤３と、これ等全体の周縁を保持固定するエッジ材４とからなる。なお、図１及び図２の場合は、上層板１及び下層板３と接着剤２とが夫々１層だけ積重されているものが示されている。
上層板１としては、無機質セラミックが用いられ、具体的には下地が陶磁器薄板で表面に釉薬を施して焼成する。
下層板３は、軽量無機質からなり、具体的には火山れき等により形成した板材料（無機質）のものが挙げられる。
接着剤２は、無機質又は有機質の接着剤からなり、具体的には水硬性セメント系ペ−ストが挙げられる。
エッジ材４としては、不燃又は難燃材からなり、具体的には金属、古紙混入再生ポリプロピレンにより構成する。
また、本発明の無機質不燃実験台天板１００は全体としての厚みは２５ｍｍ程度であり従来品の４５ｍｍに較べて６０％位に薄くなる。また、嵩比重は従来品の１．０８に較べて１．１２程度となり高くなるが、曲げ強度も従来品の１０７〜１３５ｋｇｆ／ｃｍ2 に対し１１０〜１４０ｆ／ｃｍ2 と高く強度アップとなっている。
【実施例２】
【００１２】
図３及び図４は本発明の無機質不燃実験台天板の別の実施の形態を示す。この無機質不燃実験台天板１００ａは図示のように多層のものからなり、例えば、最上部に上層板１があり、接着剤２を挾んで下層板３があり、更に、接着剤２を介して下層板３が配置され、更に、接着剤２を介し下層板３が配置されているものからなる。なお、この多層形態はこの例に限るものではない。以上の構造のより、更に高剛性の天板とすることができる。
【図面の簡単な説明】
【００１３】
【図１】本発明の単層型の無機質不燃実験台天板の全体構成を示す斜視図。
【図２】図１のＡ−Ａ線断面図。
【図３】本発明の複層型の無機質不燃実験台天板の積重構造を示す斜視図。
【図４】図３のＢ−Ｂ線断面図。
【図５】従来の天板の構造を示す斜視図。
【符号の説明】
【００１４】
１        上層板
２        接着剤
３        下層板
４        エッジ材
４ａ      エッジ材
１００    無機質不燃実験台天板
１００ａ  無機質不燃実験台天板
【図１】
2005053181.tif 000003
【図２】
2005053181.tif 000004
【図３】
2005053181.tif 000005
【図４】
2005053181.tif 000006
【図５】
2005053181.tif 000007